(57)【特許請求の範囲】
【請求項１】
印字を行うためのインクシートと、前記インクシートが収納される一対のインクシート収納部を各々含む第１ケース部および第２ケース部とを備えたインクシートカートリッジにおいて、
前記第１ケース部には、第１フック係合部が一体的に設けられ、
前記第２ケース部には、前記第１フック係合部に係合する撓み変形可能な第１フック部が一体的に設けられ、
前記第１ケース部の両方の側端面近傍には、それぞれ、前記一対のインクシート収納部を連結する第１連結部および第２連結部が設けられ、
前記第２ケース部の両方の側端面近傍には、それぞれ、前記一対のインクシート収納部を連結する第３連結部および第４連結部が設けられ、
前記第１ケース部における前記一対のインクシート収納部の各々の一方の側端面近傍には、第１突出部がそれぞれ設けられるとともに、前記第２ケース部における前記一対のインクシート収納部の各々の一方の側端面近傍には、前記第１突出部が各々挿入される第１嵌合部がそれぞれ設けられ、
前記第１ケース部における前記一対のインクシート収納部の各々の他方の側端面近傍には、第２嵌合部がそれぞれ設けられるとともに、前記第２ケース部における前記一対のインクシート収納部の各々の他方の側端面近傍には、前記第２嵌合部に各々挿入される第２突出部がそれぞれ設けられ、
前記第１ケース部のインクシート収納部の外表面には、前記インクシート収納部の延びる方向に対して実質的に平行に延びるように、前記第１ケース部および前記第２ケース部のスライド方向を固定するための第２フック部が設けられ、
前記第２ケース部のインクシート収納部の外表面には、前記第２フック部と係合する第２フック係合部が設けられ、
前記第１フック係合部は、係合孔部を有する板状部材からなるとともに、前記第１ケース部の前記第１突出部よりも前記第２連結部側において前記板状部材が互いに対向するように一対設けられ、
前記第１フック部は、前記第２ケース部の前記第１嵌合部よりも前記第４連結部側において互いに対向するように一対設けられ、
前記第１ケース部の第１連結部および前記第２ケース部の第３連結部には、それぞれ、互いに係合する第１係合部および第２係合部が設けられ、
前記第１ケース部と前記第２ケース部とを各々の前記インクシート収納部を互いに平行に接触するように重ねた状態において、一対の前記第１フック部または一対の前記第１フック係合部の一方が他方を挟み込むことにより、前記第１ケース部の前記第２ケース部に
対する前記第１フック部が対向する方向への移動が規制されるように構成されており、
前記第１ケース部と前記第２ケース部とを平行状態で所定の距離ずらした状態で、かつ、各々の前記インクシート収納部を互いに平行に接触するように重ねた状態で、前記第１フック部が前記第１フック係合部の前記板状部材に当接することにより前記第１フック部が撓み変形された状態になるように構成されており、
前記第１ケース部と前記第２ケース部とを平行状態で所定の距離ずらした状態で、前記第１ケース部または前記第２ケース部の一方を水平方向にスライドさせることにより、前記第１フック部が撓み変形した状態で前記第１フック係合部の前記板状部材に当接しながらスライドされた後、前記第１フック部が前記係合孔部と係合されて前記第１フック部の撓み変形が解除され、かつ、前記第１嵌合部に前記第１突出部が挿入されるとともに、前記第２嵌合部に前記第２突出部が挿入され、かつ、前記第２フック部が前記第２フック係合部と係合され、かつ、前記第１連結部の第１係合部と前記第３連結部の第２係合部とが係合することにより、スライド方向、前記第１ケース部と前記第２ケース部とが重なる上下方向、および、一対の前記第１フック部が対向する方向である前記スライド方向および前記上下方向に対して直交する方向の各々の方向において前記第１フック部の前記係合孔部内での移動が規制されて前記第１ケース部と前記第２ケース部とが固定されるように構成されている、インクシートカートリッジ。
【請求項２】
印字を行うためのインクシートと、
前記インクシートが収納される一対のインクシート収納部を各々含む第１ケース部および第２ケース部と、
前記第１ケース部および前記第２ケース部の一方に一体的に設けられた撓み変形可能な第１フック部と、
前記第１ケース部および前記第２ケース部の他方に一体的に設けられ、前記第１フック部と係合する第１フック係合部とを備え、
前記第１フック係合部は、係合孔部を有する板状部材からなり、
前記第１フック部は、互いに対向するように一対設けられるとともに、前記第１フック係合部を構成する前記板状部材は、互いに対向するように一対設けられ、
前記第１ケース部と前記第２ケース部とを各々の前記インクシート収納部を互いに平行に接触するように重ねた状態において、一対の前記第１フック部または一対の前記第１フック係合部の一方が他方を挟み込むことにより、前記第１ケース部の前記第２ケース部に対する前記第１フック部が対向する方向への移動が規制されるように構成されており、
前記第１ケース部と前記第２ケース部とを平行状態で所定の距離ずらした状態で、かつ、各々の前記インクシート収納部を互いに平行に接触するように重ねた状態で、前記第１フック部が前記第１フック係合部の前記板状部材に当接することにより前記第１フック部が撓み変形された状態になるように構成されており、
前記第１ケース部と前記第２ケース部とを平行状態で所定の距離ずらした状態で、前記第１ケース部または前記第２ケース部の一方を水平方向にスライドさせることにより、前記第１フック部が撓み変形した状態で前記第１フック係合部の前記板状部材に当接しながらスライドされた後、前記第１フック部が前記係合孔部と係合されて前記第１フック部の撓み変形が解除されることにより、スライド方向、前記第１ケース部と前記第２ケース部とが重なる上下方向、および、一対の前記第１フック部が対向する方向である前記スライド方向および前記上下方向に対して直交する方向の各々の方向において前記第１フック部の前記係合孔部内での移動が規制されて前記第１ケース部と前記第２ケース部とが固定されるように構成されている、インクシートカートリッジ。
【請求項３】
前記第１ケース部の両方の側端面近傍には、それぞれ、前記一対のインクシート収納部を連結する第１連結部および第２連結部が設けられ、
前記第２ケース部の両方の側端面近傍には、それぞれ、前記一対のインクシート収納部を連結する第３連結部および第４連結部が設けられ、
前記第１ケース部の第１連結部および前記第２ケース部の第３連結部には、それぞれ、前記第１ケース部と前記第２ケース部とを平行状態で所定の距離ずらした状態で、前記第１ケース部または前記第２ケース部の一方を水平方向にスライドさせることにより、互いに係合する第１係合部および第２係合部が設けられている、請求項２に記載のインクシートカートリッジ。
【請求項４】
前記第１ケース部における前記一対のインクシート収納部の各々の一方の側端面近傍には、第１突出部がそれぞれ設けられるとともに、前記第２ケース部における前記一対のインクシート収納部の各々の一方の側端面近傍には、前記第１突出部が各々挿入される第１嵌合部がそれぞれ設けられ、
前記第１ケース部における前記一対のインクシート収納部の各々の他方の側端面近傍には、第２嵌合部がそれぞれ設けられるとともに、前記第２ケース部における前記一対のインクシート収納部の各々の他方の側端面近傍には、前記第２嵌合部に各々挿入される第２突出部がそれぞれ設けられ、
前記第１ケース部と前記第２ケース部とを平行状態で所定の距離ずらした状態で、前記第１ケース部または前記第２ケース部の一方を水平方向にスライドさせることにより、前記第１嵌合部に前記第１突出部が挿入されるとともに、前記第２嵌合部に前記第２突出部が挿入される、請求項２または３に記載のインクシートカートリッジ。
【請求項５】
前記第１ケース部のインクシート収納部の外表面には、前記インクシート収納部の延びる方向に対して実質的に平行に延びるように、前記第１ケース部および前記第２ケース部のスライド方向を固定するための第２フック部が設けられ、
前記第２ケース部のインクシート収納部の外表面には、前記第２フック部と係合する第２フック係合部が設けられ、
前記第１ケース部と前記第２ケース部とを平行状態で所定の距離ずらした状態で、前記第１ケース部または前記第２ケース部の一方を水平方向にスライドさせることにより、前記第２フック部が前記第２フック係合部と係合して前記第１ケース部と前記第２ケース部とが前記スライド方向に固定されるように構成されている、請求項２〜４のいずれか１項に記載のインクシートカートリッジ。
【請求項６】
前記第１ケース部の両方の側端面近傍には、それぞれ、前記一対のインクシート収納部を連結する第１連結部および第２連結部が設けられ、
前記第２ケース部の両方の側端面近傍には、それぞれ、前記一対のインクシート収納部を連結する第３連結部および第４連結部が設けられ、
前記第１フック部は、前記第１ケース部の前記第１突出部よりも前記第２連結部側、および、前記第２ケース部の前記第１嵌合部よりも前記第４連結部側のいずれか一方に一対設けられ、
前記第１フック係合部は、前記第１ケース部の前記第１突出部よりも前記第２連結部側、および、前記第２ケース部の前記第１嵌合部よりも前記第４連結部側のいずれか他方に一対設けられている、請求項４または５に記載のインクシートカートリッジ。
【発明の詳細な説明】
【技術分野】
【０００１】
この発明は、インクシートカートリッジに関し、特に、プリンタに装着されるインクシートカートリッジに関する。
【背景技術】
【０００２】
従来、プリンタに装着されるインクシートカートリッジが知られている（たとえば、特許文献１および２参照）。
【０００３】
上記特許文献１には、インクシートが巻き付けられた供給ボビンと使用済みのインクシートを巻き取る巻取ボビンとが回転可能に収納される上シェルハーフと下シェルハーフとからなるインクシートカートリッジにおいて、上シェルハーフの一方端が下シェルハーフの一方端にヒンジによって開閉可能に取り付けられ、上シェルハーフの他方端側のフック部を下シェルハーフの他方端側の係合孔部に係合させることによって、上シェルハーフと下シェルハーフとが組み立てられるインクシートカートリッジが記載されている。このインクシートカートリッジでは、上シェフハーフの両側端部および下シェスハーフの両側端部に、それぞれ、突出部が設けられている。そして、上シェルハーフと下シェルハーフとが組み立てられた状態で、上シェルハーフと下シェルハーフとの突出部に別部材で構成された保持部材を嵌めることによって、上シェルハーフと下シェルハーフとが容易に分解するのを抑制している。
【０００４】
また、上記特許文献２には、インクシートが巻き付けられた供給ボビンと使用済みのインクシートを巻き取る巻取ボビンとが回転可能に収納される上シェルハーフと下シェルハーフとからなるインクシートカートリッジにおいて、別部材で構成されたカバーを取り付けることによって、上シェルハーフと下シェルハーフとを固定するインクシートカートリッジが知られている。
【０００５】
また、従来、熱転写プリンタに用いられるインクシートカートリッジが知られている。図１６は、従来の熱転写プリンタに用いられるインクシートカートリッジの分解斜視図である。図１７は、従来の熱転写プリンタに用いられるインクシートカートリッジの全体斜視図である。図１８は、図１７の２００−２００線に沿った断面図である。図１６〜図１８を参照して、従来の熱転写プリンタに用いられるインクシートカートリッジの構造について説明する。
【０００６】
従来の熱転写プリンタに用いられるインクシートカートリッジ１００は、図１６に示すように、ボビン収納ケース１０１を構成する樹脂製の上側部品１０２および樹脂製の下側部品１０３を備えている。また、ボビン収納ケース１０１の内部には、インクシート１０４を供給する供給ボビン１０５と、インクシート１０４を巻き取る巻取ボビン１０６と、供給ボビン１０５および巻取ボビン１０６をボビン収納ケース１０１の一方端側に付勢するための圧縮コイルバネ１０７とが収納されている。また、図１６および図１７に示すように、ボビン収納ケース１０１の両外表面部には、上側部品１０２と下側部品１０３との固定を保持するための別部材で構成された樹脂製の保持部材１０８が取り付けられている。
【０００７】
また、ボビン収納ケース１０１を構成する上側部品１０２は、図１６に示すように、供給ボビン１０５を収納する供給ボビン収納部１０２ａと、巻取ボビン１０６を収納する巻取ボビン収納部１０２ｂと、供給ボビン収納部１０２ａと巻取ボビン収納部１０２ｂとを連結する連結部１０２ｃおよび１０２ｄとを備えている。また、上側部品１０２の両外表
面部には、供給ボビン収納部１０２ａおよび巻取ボビン収納部１０２ｂの延びる方向に対して平行に延びる突出部１０２ｅが設けられている。
【０００８】
また、ボビン収納ケース１０１を構成する下側部品１０３は、図１６に示すように、供給ボビン１０５を収納する供給ボビン収納部１０３ａと、巻取ボビン１０６を収納する巻取ボビン収納部１０３ｂと、供給ボビン収納部１０３ａと巻取ボビン収納部１０３ｂとを連結する連結部１０３ｃおよび１０３ｄとを備えている。また、供給ボビン収納部１０３ａの内部には、供給ボビン１０５を回転可能に支持する供給ボビン支持部１０３ｅが設けられ、巻取ボビン収納部１０３ｂの内部には、巻取ボビン１０６を回転可能に支持する巻取ボビン支持部１０３ｆが設けられている。また、下側部品１０３の両外表面部には、供給ボビン収納部１０３ａおよび巻取ボビン収納部１０３ｂの延びる方向に対して平行に延びる突出部１０３ｇが設けられている。
【０００９】
また、図１６に示すように、供給ボビン１０５には、インクシート１０４が巻き付けられたシート供給側軸部１０５ａと、フランジ部１０５ｂと、駆動側軸部１０５ｃと、従動側軸部１０５ｄとが設けられている。また、図１６に示すように、巻取ボビン１０６には、インクシート１０４が巻き取られるシート巻取側軸部１０６ａと、フランジ部１０６ｂと、駆動側軸部１０６ｃと、従動側軸部１０６ｄとが設けられている。また、保持部材１０８は、図１６〜図１８に示すように、コの字の断面形状を有している。
【００１０】
次に、図１６〜図１８を参照して、従来の熱転写プリンタに用いられるインクシートカートリッジ１００の上側部品１０２と下側部品１０３との組立方法について説明する。まず、図１６に示すように、圧縮コイルバネ１０７を、供給ボビン１０５の従動側軸部１０５ｄおよび巻取ボビン１０６の従動側軸部１０６ｄにそれぞれ挿入する。そして、供給ボビン１０５を下側部品１０３の供給ボビン収納部１０３ａの供給ボビン支持部１０３ｅに支持されるように配置するとともに、巻取ボビン１０６を下側部品１０３の巻取ボビン収納部１０３ｂの巻取ボビン支持部１０３ｆに支持されるように配置する。その後、上側部品１０２と下側部品１０３とを固定する際に上側部品１０２と下側部品１０３とが当接する当接面に接着剤を塗布する。具体的には、上側部品１０２の連結部１０２ｃおよび１０２ｄの当接面と、上側部品１０２の両側面部に設けた突出部１０２ｅの当接面と、下側部品１０３の連結部１０３ｃおよび１０３ｄの当接面と、下側部品１０３の両側面部に設けた突出部１０３ｇの当接面とにそれぞれ接着剤を塗布する。そして、上側部品１０２と下側部品１０３との当接面が当接するように、上側部品１０２と下側部品１０３とを突き合わせる。この後、図１７および図１８に示すように、上側部品１０２の突出部１０２ｅと下側部品１０３の突出部１０３ｇとが当接された部分に、接着剤を塗布した保持部材１０８を嵌め込む。これにより、上側部品１０２と下側部品１０３とが固定されて、インクシートカートリッジ１００の上側部品１０２と下側部品１０３とが組み立てられる。
【特許文献１】特開平６−１８３０８７号公報
【特許文献２】特開平６−１９９３８８号公報
【発明の開示】
【発明が解決しようとする課題】
【００１１】
しかしながら、図１６〜図１８に示した従来のインクシートカートリッジ１００では、上記のように、別部材で構成された樹脂製の保持部材１０８を、インクシートカートリッジ１００の両側面部に設けた突出部１０２ｅおよび１０３ｇに嵌め込むことによって、上側部品１０２と下側部品１０３との固定を保持しているため、上側部品１０２と下側部品１０３との固定時に保持部材１０８が必要になるという不都合がある。このため、部品点数が増加するという問題点があった。また、図１６〜図１８に示した従来のインクシートカートリッジ１００では、上側部品１０２と下側部品１０３とを接着剤で固定した後、保
持部材１０８により上側部品１０２と下側部品１０３との固定を保持するため、接着剤が必要になるという問題点もある。
【００１２】
また、上記特許文献１に開示されたインクシートカートリッジでは、上シェルハーフと下シェルハーフとが容易に分解するのを抑制するために、上シェルハーフおよび下シェルハーフにそれぞれ設けられた突出部に、別部材で構成された保持部材を嵌める必要があるので、その分、部品点数が増加するという問題点がある。
【００１３】
また、上記特許文献２に開示されたインクシートカートリッジでは、上シェルハーフと下シェルハーフとを固定するために、別部材で構成されたカバーを取り付ける必要があるので、カバーの分、部品点数が増加するという問題点がある。
【００１４】
この発明は、上記のような課題を解決するためになされたものであり、この発明の１つの目的は、接着剤が不要で、かつ、部品点数の増加を抑制することが可能なインクシートカートリッジを提供することである。
【課題を解決するための手段】
【００１５】
この発明の第１の局面におけるインクシートカートリッジは、印字を行うためのインクシートと、インクシートが収納される一対のインクシート収納部を各々含む第１ケース部および第２ケース部とを備えたインクシートカートリッジにおいて、第１ケース部には、第１フック係合部が一体的に設けられ、第２ケース部には、第１フック係合部に係合する第１フック部が一体的に設けられ、第１ケース部の両方の側端面近傍には、それぞれ、一対のインクシート収納部を連結する第１連結部および第２連結部が設けられ、第２ケース部の両方の側端面近傍には、それぞれ、一対のインクシート収納部を連結する第３連結部および第４連結部が設けられ、第１ケース部の一方の側端面の両端部近傍には、一対の第１突出部が設けられるとともに、第２ケース部の一方の側端面の両端部近傍には、一対の第１突出部が挿入される一対の第１嵌合部が設けられ、第１ケース部の他方の側端面の両端部近傍には、一対の第２嵌合部が設けられるとともに、第２ケース部の他方の側端面の両端部近傍には、一対の第２嵌合部に挿入される一対の第２突出部が設けられ、第１ケース部のインクシート収納部の外表面には、インクシート収納部の延びる方向に対して実質的に平行に延びるように、第１ケース部および第２ケース部のスライド方向を固定するための第２フック部が設けられ、第２ケース部のインクシート収納部の外表面には、第２フック部と係合する第２フック係合部が設けられ、第１フック係合部は、係合孔部を有する板状部材からなるとともに、第１ケース部の第１突出部よりも第２連結部側に一対設けられ、第１フック部は、第２ケース部の第１嵌合部よりも第４連結部側に一対設けられ、第１ケース部の第１連結部および第２ケース部の第３連結部には、それぞれ、互いに係合する第１係合部および第２係合部が設けられ、第１ケース部と第２ケース部とを所定の距離ずらした状態で、第１ケース部または第２ケース部の一方を水平方向にスライドさせることにより、第１フック係合部に第１フック部が係合され、一対の第１嵌合部に一対の第１突出部が挿入されるとともに、一対の第２嵌合部に一対の第２突出部が挿入され、かつ、第１連結部の第１係合部と第３連結部の第２係合部とが係合することによって第１ケース部と第２ケース部とが固定される。
【００１６】
この発明の第１の局面におけるインクシートカートリッジは、印字を行うためのインクシートと、インクシートが収納される一対のインクシート収納部を各々含む第１ケース部および第２ケース部とを備えたインクシートカートリッジにおいて、第１ケース部には、
第１フック係合部が一体的に設けられ、第２ケース部には、第１フック係合部に係合する撓み変形可能な第１フック部が一体的に設けられ、第１ケース部の両方の側端面近傍には、それぞれ、一対のインクシート収納部を連結する第１連結部および第２連結部が設けられ、第２ケース部の両方の側端面近傍には、それぞれ、一対のインクシート収納部を連結する第３連結部および第４連結部が設けられ、第１ケース部における一対のインクシート収納部の各々の一方の側端面近傍には、第１突出部がそれぞれ設けられるとともに、第２ケース部における一対のインクシート収納部の各々の一方の側端面近傍には、第１突出部が各々挿入される第１嵌合部がそれぞれ設けられ、第１ケース部における一対のインクシート収納部の各々の他方の側端面近傍には、第２嵌合部がそれぞれ設けられるとともに、第２ケース部における一対のインクシート収納部の各々の他方の側端面近傍には、第２嵌合部に各々挿入される第２突出部がそれぞれ設けられ、第１ケース部のインクシート収納部の外表面には、インクシート収納部の延びる方向に対して実質的に平行に延びるように、第１ケース部および第２ケース部のスライド方向を固定するための第２フック部が設けられ、第２ケース部のインクシート収納部の外表面には、第２フック部と係合する第２フック係合部が設けられ、第１フック係合部は、係合孔部を有する板状部材からなるとともに、第１ケース部の第１突出部よりも第２連結部側において板状部材が互いに対向するように一対設けられ、第１フック部は、第２ケース部の第１嵌合部よりも第４連結部側において互いに対向するように一対設けられ、第１ケース部の第１連結部および第２ケース部の第３連結部には、それぞれ、互いに係合する第１係合部および第２係合部が設けられ、第１ケース部と第２ケース部とを各々のインクシート収納部を互いに平行に接触するように重ねた状態において、一対の第１フック部または一対の第１フック係合部の一方が他方を挟み込むことにより、第１ケース部の第２ケース部に対する第１フック部が対向する方向への移動が規制されるように構成されており、第１ケース部と第２ケース部とを平行状態で所定の距離ずらした状態で、かつ、各々のインクシート収納部を互いに平行に接触するように重ねた状態で、第１フック部が第１フック係合部の板状部材に当接することにより第１フック部が撓み変形された状態になるように構成されており、第１ケース部と第２ケース部とを平行状態で所定の距離ずらした状態で、第１ケース部または第２ケース部の一方を水平方向にスライドさせることにより、第１フック部が撓み変形した状態で第１フック係合部の板状部材に当接しながらスライドされた後、第１フック部が係合孔部と係合されて第１フック部の撓み変形が解除され、かつ、第１嵌合部に第１突出部が挿入されるとともに、第２嵌合部に第２突出部が挿入され、かつ、第２フック部が第２フック係合部と係合され、かつ、第１連結部の第１係合部と第３連結部の第２係合部とが係合することにより、スライド方向、第１ケース部と第２ケース部とが重なる上下方向、および、一対の第１フック部が対向する方向であるスライド方向および上下方向に対して直交する方向の各々の方向において第１フック部の係合孔部内での移動が規制されて第１ケース部と第２ケース部とが固定されるように構成されている。
【００１７】
この第１の局面によるインクシートカートリッジでは、上記のように、第１ケース部に第１フック係合部を一体的に設け、第２ケース部に、第１フック係合部に係合する第１フック部を一体的に設けることによって、第１フック部および第１フック係合部を設けたとしても、部品点数が増加するのを抑制することができるとともに、第１フック係合部および第１フック部により、接着剤を用いることなく第１ケース部と第２ケース部とを固定することができる。また、第１ケース部と第２ケース部とを平行状態で所定の距離ずらした状態で、第１ケース部または第２ケース部の一方を水平方向にスライドさせることにより
、第１フック係合部に第１フック部を係合させて第１ケース部と第２ケース部とを固定するように構成することによって、第１ケース部または第２ケース部の一方の水平方向へのスライド時に、スライド方向以外に荷重が加わらないので、第１ケース部または第２ケース部の一方を撓ませた状態で、第１ケース部および第２ケース部を上下方向から固定する場合と異なり、第１ケース部または第２ケース部が撓むのを抑制することができる。このため、第１ケース部または第２ケース部が撓むことに起因してインクシートカートリッジの内部に収納する供給ボビンおよび巻取ボビンの配置がずれるという不都合が生じないので、第１ケース部と第２ケース部とを容易に固定することができる。また、第１ケース部に、一対のインクシート収納部を連結する第１連結部を設けるとともに、第２ケース部に、一対のインクシート収納部を連結する第３連結部を設け、かつ、第１ケース部の第１連結部および第２ケース部の第３連結部に、それぞれ、第１ケース部と第２ケース部とを平行状態で所定の距離ずらした状態で、第１ケース部または第２ケース部の一方をスライドさせることにより、互いに係合する第１係合部および第２係合部を設けることによって、第１係合部と第２係合部との係合により、接着剤を用いることなく、第１連結部と第３連結部とが離間するのを抑制することができる。
【００１８】
また、第１の局面では、第１ケース部における一対のインクシート収納部の各々の一方の側端面近傍には、第１突出部がそれぞれ設けられるとともに、第２ケース部における一対のインクシート収納部の各々の一方の側端面近傍には、第１突出部が各々挿入される第１嵌合部がそれぞれ設けられ、第１ケース部における一対のインクシート収納部の各々の他方の側端面近傍には、第２嵌合部がそれぞれ設けられるとともに、第２ケース部における一対のインクシート収納部の各々の他方の側端面近傍には、第２嵌合部に各々挿入される第２突出部がそれぞれ設けられ、かつ、第１ケース部と第２ケース部とを平行状態で所
定の距離ずらした状態で、第１ケース部または第２ケース部の一方を水平方向にスライドさせることにより、第１嵌合部に第１突出部を挿入するとともに、第２嵌合部に第２突出部を挿入するように構成することによって、第１ケース部および第２ケース部が組み立てられた状態で、第１ケース部と第２ケース部との四隅が固定されるので、第１ケース部と第２ケース部との四隅が離間するのを抑制することができる。また、第１ケース部のインクシート収納部の外表面に、インクシート収納部の延びる方向に対して実質的に平行に延びるように、第１ケース部および第２ケース部のスライド方向を固定するための第２フック部を設け、第２ケース部のインクシート収納部の外表面に、第２フック部と係合する第２フック係合部を設けることによって、第２フック部と第２フック係合部とが係合することにより、第１ケース部または第２ケース部のスライド方向の移動が抑制されるので、第１ケース部または第２ケース部がスライド方向に移動して第１ケース部と第２ケース部との固定が解除されるのを抑制することができる。また、第１フック係合部を、係合孔部を有する板状部材から構成するとともに、第１ケース部の第１突出部よりも第２連結部側に一対設け、第１フック部を、第２ケース部の第１嵌合部よりも第４連結部側に一対設けることによって、第２連結部と第４連結部との近傍で、第１フック部と第１フック係合部とを容易に係合させることができるので、第２連結部と第４連結部とが離間するのを抑制することができる。
【００１９】
この発明の第２の局面におけるインクシートカートリッジは、印字を行うためのインクシートと、インクシートが収納される一対のインクシート収納部を各々含む第１ケース部および第２ケース部と、第１ケース部および第２ケース部の一方に一体的に設けられた撓み変形可能な第１フック部と、第１ケース部および第２ケース部の他方に一体的に設けられ、第１フック部と係合する第１フック係合部とを備え、第１フック係合部は、係合孔部を有する板状部材からなり、第１フック部は、互いに対向するように一対設けられるとともに、第１フック係合部を構成する板状部材は、互いに対向するように一対設けられ、第１ケース部と第２ケース部とを各々のインクシート収納部を互いに平行に接触するように重ねた状態において、一対の第１フック部または一対の第１フック係合部の一方が他方を挟み込むことにより、第１ケース部の第２ケース部に対する第１フック部が対向する方向への移動が規制されるように構成されており、第１ケース部と第２ケース部とを平行状態で所定の距離ずらした状態で、かつ、各々のインクシート収納部を互いに平行に接触するように重ねた状態で、第１フック部が第１フック係合部の板状部材に当接することにより第１フック部が撓み変形された状態になるように構成されており、第１ケース部と第２ケース部とを平行状態で所定の距離ずらした状態で、第１ケース部または第２ケース部の一方を水平方向にスライドさせることにより、第１フック部が撓み変形した状態で第１フック係合部の板状部材に当接しながらスライドされた後、第１フック部が係合孔部と係合されて第１フック部の撓み変形が解除されることにより、スライド方向、第１ケース部と第２ケース部とが重なる上下方向、および、一対の第１フック部が対向する方向であるスライド方向および上下方向に対して直交する方向の各々の方向において第１フック部の係合孔部内での移動が規制されて第１ケース部と第２ケース部とが固定されるように構成されている。
【００２０】
この発明の第２の局面におけるインクシートカートリッジでは、上記のように、第１フック部を第１ケース部および第２ケース部の一方に一体的に設け、第１フック部と係合する第１フック係合部を第１ケース部および第２ケース部の他方に一体的に設けることによって、第１フック部および第１フック係合部を設けたとしても、部品点数が増加するのを抑制することができるとともに、第１フック部および第１フック係合部により、接着剤を用いることなく第１ケース部と第２ケース部とを固定することができる。また、第１ケース部と第２ケース部とを平行状態で所定の距離ずらした状態で、第１ケース部または第２ケース部の一方を水平方向にスライドさせることにより、第１フック部を第１フック係合部に係合させて第１ケース部と第２ケース部とを固定するように構成することによって、第１ケース部または第２ケース部の一方の水平方向へのスライド時に、スライド方向以外に荷重が加わらないので、第１ケース部または第２ケース部の一方を撓ませた状態で、第１ケース部および第２ケース部を上下方向から固定する場合と異なり、第１ケース部または第２ケース部が撓むのを抑制することができる。このため、第１ケース部または第２ケース部が撓むことに起因してインクシートカートリッジの内部に収納する供給ボビンおよび巻取ボビンの配置がずれるという不都合が生じないので、第１ケース部と第２ケース部とを容易に固定することができる。
【００２１】
上記第２の局面によるインクシートカートリッジにおいて、好ましくは、第１ケース部の両方の側端面近傍には、それぞれ、一対のインクシート収納部を連結する第１連結部および第２連結部が設けられ、第２ケース部の両方の側端面近傍には、それぞれ、一対のイ
ンクシート収納部を連結する第３連結部および第４連結部が設けられ、第１ケース部の第１連結部および第２ケース部の第３連結部には、それぞれ、第１ケース部と第２ケース部とを平行状態で所定の距離ずらした状態で、第１ケース部または第２ケース部の一方を水平方向にスライドさせることにより、互いに係合する第１係合部および第２係合部が設けられている。このように構成すれば、第１係合部と第２係合部との係合により、接着剤を用いることなく、第１連結部と第３連結部とが離間するのを抑制することができる。
【００２２】
上記第２の局面によるインクシートカートリッジにおいて、好ましくは、第１ケース部における一対のインクシート収納部の各々の一方の側端面近傍には、第１突出部がそれぞれ設けられるとともに、第２ケース部における一対のインクシート収納部の各々の一方の側端面近傍には、第１突出部が各々挿入される第１嵌合部がそれぞれ設けられ、第１ケース部における一対のインクシート収納部の各々の他方の側端面近傍には、第２嵌合部がそれぞれ設けられるとともに、第２ケース部における一対のインクシート収納部の各々の他方の側端面近傍には、第２嵌合部に各々挿入される第２突出部がそれぞれ設けられ、第１ケース部と第２ケース部とを平行状態で所定の距離ずらした状態で、第１ケース部または第２ケース部の一方を水平方向にスライドさせることにより、第１嵌合部に第１突出部が挿入されるとともに、第２嵌合部に第２突出部が挿入される。このように構成すれば、第１ケース部および第２ケース部が組み立てられた状態で、第１ケース部と第２ケース部との四隅が固定されるので、第１ケース部と第２ケース部との四隅が離間するのを抑制することができる。
【００２３】
上記第２の局面によるインクシートカートリッジにおいて、第１ケース部のインクシート収納部の外表面には、インクシート収納部の延びる方向に対して実質的に平行に延びるように、第１ケース部および第２ケース部のスライド方向を固定するための第２フック部が設けられ、第２ケース部のインクシート収納部の外表面には、第２フック部と係合する第２フック係合部が設けられ、第１ケース部と第２ケース部とを平行状態で所定の距離ずらした状態で、第１ケース部または第２ケース部の一方を水平方向にスライドさせることにより、第２フック部が第２フック係合部と係合して第１ケース部と第２ケース部とがスライド方向に固定されるように構成されている。このように構成すれば、第２フック部と第２フック係合部とが係合することにより、第１ケース部または第２ケース部のスライド方向の移動が抑制されるので、第１ケース部または第２ケース部がスライド方向に移動して第１ケース部と第２ケース部との固定が解除されるのを抑制することができる。
【発明を実施するための最良の形態】
【００２４】
上記第２の局面によるインクシートカートリッジにおいて、好ましくは、第１ケース部の両方の側端面近傍には、それぞれ、一対のインクシート収納部を連結する第１連結部および第２連結部が設けられ、第２ケース部の両方の側端面近傍には、それぞれ、一対のインクシート収納部を連結する第３連結部および第４連結部が設けられ、第１フック部は、第１ケース部の第１突出部よりも第２連結部側、および、第２ケース部の第１嵌合部よりも第４連結部側のいずれか一方に一対設けられ、第１フック係合部は、第１ケース部の第１突出部よりも第２連結部側、および、第２ケース部の第１嵌合部よりも第４連結部側のいずれか他方に一対設けられている。このように構成すれば、第２連結部と第４連結部との近傍で、第１フック部と第１フック係合部とを容易に係合させることができるので、第２連結部と第４連結部とが離間するのを抑制することができる。
【００２５】
図１は、本発明の一実施形態によるインクシートカートリッジの分解斜視図である。図２〜図９は、図１に示した本発明の一実施形態によるインクシートカートリッジの構造を示した図である。図１〜図９を参照して、本発明の一実施形態によるインクシートカートリッジの構造について説明する。
【００２６】
本発明の一実施形態によるインクシートカートリッジ１は、図１および図２に示すように、ボビン収納ケース２を構成する樹脂製の上側部品３および樹脂製の下側部品４を備えている。なお、上側部品３および下側部品４は、それぞれ、本発明の「第１ケース部」および「第２ケース部」の一例である。また、ボビン収納ケース２の内部には、図１および図４に示すように、インクシート５を供給する供給ボビン６と、インクシート５を巻き取る巻取ボビン７と、供給ボビン６および巻取ボビン７をボビン収納ケース２の一方端に付勢するための圧縮コイルバネ８とが収納されている。
【００２７】
また、図３に示すように、ボビン収納ケース２を構成する上側部品３は、供給ボビン６を収納する供給ボビン収納部３ａと、巻取ボビン７を収納する巻取ボビン収納部３ｂと、供給ボビン収納部３ａと巻取ボビン収納部３ｂとを連結する連結部３ｃおよび３ｄとを備えている。なお、連結部３ｃおよび連結部３ｄは、それぞれ、本発明の「第１連結部」および「第２連結部」の一例である。
【００２８】
ここで、本実施形態では、図３に示すように、上側部品３の矢印Ｃ方向の側端面の両端部近傍に一対の突出部３ｅが一体的に設けられている。また、上側部品３の矢印Ｄ方向の側端面の両端部近傍に一対の嵌合部３ｆが一体的に設けられている。なお、突出部３ｅは、本発明の「第１突出部」の一例である。また、嵌合部３ｆは、本発明の「第２嵌合部」の一例である。また、図３に示すように、上側部品３の矢印Ｃ方向の側端部側に、一対のフック係合部３ｇが一体的に設けられている。なお、フック係合部３ｇは、本発明の「第１フック係合部」の一例である。この一対のフック係合部３ｇは、図１に示すように、係合孔部３ｈを有する板状部材から構成されている。また、係合孔部３ｈは、フック係合部３ｇと係合する後述するフック部４ｉの先端部が上下方向に隙間なく係合するように構成されている。また、一対のフック係合部３ｇは、図３および図５に示すように、上側部品３の突出部３ｅよりも連結部３ｄに近い位置に設けられている。また、フック係合部３ｇは、図５に示すように、上側部品３と下側部品４とが組み立てられた状態で、下側部品４の底面方向に延びるように設けられている。
【００２９】
また、本実施形態では、図３に示すように、上側部品３の矢印Ｄ方向側の連結部３ｃには、逆Ｌ字形状の連結部固定用係合部３ｉ（図７参照）が設けられている。なお、連結部固定用係合部３ｉは、本発明の「第１係合部」の一例である。また、上側部品３の矢印Ｃ方向側の端部の両側面には、供給ボビン収納部３ａおよび巻取ボビン収納部３ｂの延びる方向に対して平行方向に延びるように、スライド方向固定用フック部３ｊが設けられている。なお、スライド方向固定用フック部３ｊは、本発明の「第２フック部」の一例である
。
【００３０】
また、図１に示すように、ボビン収納ケース２を構成する下側部品４は、供給ボビン６を収納する供給ボビン収納部４ａと、巻取ボビン７を収納する巻取ボビン収納部４ｂと、供給ボビン収納部４ａと巻取ボビン収納部４ｂとを連結する連結部４ｃおよび４ｄとを備えている。なお、連結部４ｃおよび４ｄは、それぞれ、本発明の「第３連結部」および「第４連結部」の一例である。また、供給ボビン収納部４ａの内部には、供給ボビン６を回転可能に支持する供給ボビン支持部４ｅが設けられ、巻取ボビン収納部４ｂの内部には、巻取ボビン７を回転可能に支持する巻取ボビン支持部４ｆが設けられている。
【００３１】
ここで、本実施形態では、図４に示すように、下側部品４の矢印Ｃ方向の側端面の両端部近傍に、上側部品３の一対の突出部３ｅが挿入される一対の嵌合部４ｇが一体的に設けられている。また、下側部品４の矢印Ｄ方向側の両端部近傍に、上側部品３の一対の嵌合部３ｆに挿入される一対の突出部４ｈ（図９参照）が一体的に設けられている。なお、嵌合部４ｇは、本発明の「第１嵌合部」の一例である。また、突出部４ｈは、本発明の「第２突出部」の一例である。また、図４に示すように、下側部品４の矢印Ｃ方向の側端部側に、上側部品３の一対のフック係合部３ｇと係合する一対のフック部４ｉが一体的に設けられている。なお、フック部４ｉは、本発明の「第１フック部」の一例である。この一対のフック部４ｉは、図４および図５に示すように、下側部品４の嵌合部４ｇよりも連結部４ｄに近い位置に設けられている。また、フック部４ｉは、図５に示すように、上側部品３と下側部品４とが組み立てられた状態で、上側部品３の上面方向に延びるように設けられている。
【００３２】
また、本実施形態では、図４に示すように、下側部品４の矢印Ｄ方向側の連結部４ｃには、上側部品３の逆Ｌ字形状の連結部固定用係合部３ｉと係合するＬ字形状の連結部固定用係合部４ｊ（図７参照）が設けられている。なお、連結部固定用係合部４ｊは、本発明の「第２係合部」の一例である。また、下側部品４の矢印Ｃ方向側の端部の両外表面面には、上側部品３のスライド方向固定用フック部３ｊと係合する溝状のスライド方向固定用フック係合部４ｋ（図８参照）が設けられている。なお、スライド方向固定用フック係合部４ｋは、本発明の「第２フック係合部」の一例である。
【００３３】
また、図１に示すように、供給ボビン６には、供給するためのインクシート５が巻き付けられたシート供給側軸部６ａと、フランジ部６ｂと、駆動側軸部６ｃと、駆動側軸部６ｃ側に設けられ、図示しないプリンタのボビン駆動リールに係合する３つの凹部を有する係合部６ｄ（図６参照）と、従動側軸部６ｅとが設けられている。
【００３４】
また、図１に示すように、巻取ボビン７には、供給ボビン６から供給されるインクシート５が巻き取られるシート巻取側軸部７ａと、フランジ部７ｂと、駆動側軸部７ｃと、駆動側軸部７ｃ側に設けられ、図示しないプリンタのボビン駆動リールに係合する３つの凹部を有する係合部７ｄ（図６参照）と、従動側軸部７ｅとが設けられている。
【００３５】
図１０〜図１５は、本発明の一実施形態によるインクシートカートリッジの上側部品と下側部品との組立方法を説明するための側面図および断面図である。次に、図１、図４、図７〜図１５を参照して、本実施形態によるインクシートカートリッジ１の上側部品３と下側部品４との組立方法について説明する。まず、図１および図４に示すように、圧縮コイルバネ８を、供給ボビン６の従動側軸部６ｅおよび巻取ボビン７の従動側軸部７ｅにそれぞれ挿入する。そして、図４に示すように、供給ボビン６を下側部品４の供給ボビン収納部４ａの供給ボビン支持部４ｅに支持されるように配置するとともに、巻取ボビン７を下側部品４の巻取ボビン収納部４ｂの巻取ボビン支持部４ｆに支持されるように配置する。この状態では、図４に示すように、供給ボビン６および巻取ボビン７は、圧縮コイルバ
ネ８によって、矢印Ｅ方向の端部側に付勢された状態となっている。
【００３６】
次に、図１０に示すように、上側部品３と下側部品４とを所定の距離Ｘだけずらした状態で、上側部品３を下側部品４の上部に配置する。この時、下側部品４のフック部４ｉは、図１１に示すように、上側部品３のフック係合部３ｇの下部に位置している。次に、上側部品３を図１０の矢印Ｆ方向に移動させて、図１２に示すように、上側部品３と下側部品４とを重ね合わせる。この状態では、図１２および図１３に示すように、下側部品４のフック部４ｉの先端部は、上側部品３の板状部材からなるフック係合部３ｇの係合孔部３ｈには係合しておらず、係合孔部３ｈの近傍部に当接している。また、図１３に示すように、フック部４ｉとフック係合部３ｇとが当接した状態では、フック部４ｉは、弾性的に撓んだ状態となっている。
【００３７】
ここで、本実施形態では、上側部品３を下側部品４に対して図１２の矢印Ｇ方向にスライドさせることによって、図１４に示すように、上側部品３の突出部３ｅが、下側部品４の嵌合部４ｇ（図９参照）に挿入される。また、同時に、図９に示すように、上側部品３の嵌合部３ｆに、下側部品４の突出部４ｈが挿入される。これにより、上側部品３と下側部品４との上下方向の離間が抑制される。また、上側部品３のフック係合部３ｇの係合孔部３ｈ近傍に当接していた下側部品４のフック部４ｉの先端部が、上側部品３の矢印Ｇ方向（図１２参照）へのスライドによって、図１４に示すように、フック係合部３ｇの係合孔部３ｈの位置に到達する。これにより、フック部４ｉの弾性的に撓んだ状態が元に戻り、図１５に示すように、フック部４ｉの先端部とフック係合部３ｇの係合孔部３ｈとが係合する。フック部４ｉの先端部は、フック係合部３ｇの係合孔部３ｈと上下方向に隙間なく係合しているので、上側部品３と下側部品４との上下方向への離間が抑制される。
【００３８】
また、本実施形態では、上側部品３を下側部品４に対して図１２の矢印Ｇ方向にスライドさせることによって、図８および図１４に示すように、上側部品３のスライド方向固定用フック部３ｊとスライド方向固定用フック係合部４ｋとが係合する。これにより、図８に示すように、上側部品３の矢印Ｈ方向および下側部品４の矢印Ｉ方向のスライド方向への移動が抑制される。
【００３９】
さらに、本実施形態では、上側部品３を下側部品４に対して図１２の矢印Ｇ方向にスライドさせることによって、図７に示すように、上側部品３の連結部３ｃに設けた逆Ｌ字形状の連結部固定用係合部３ｉと下側部品４の連結部４ｃに設けたＬ字形状の連結部固定用係合部４ｊとが互いに係合する。これにより、上側部品３の連結部３ｃと下側部品４の連結部４ｃとの上下方向への離間が抑制される。
【００４０】
このようにして、本実施形態によるインクシートカートリッジ１の上側部品３と下側部品４とが組立られる。
【００４１】
本実施形態では、上記のように、フック部４ｉを下側部品４に一体的に設け、フック部４ｉと係合するフック係合部３ｇを上側部品３に一体的に設けることによって、フック部４ｉおよびフック係合部３ｇを設けたとしても、部品点数が増加するのを抑制することができるとともに、フック部４ｉおよびフック係合部３ｇにより、接着剤を用いることなく上側部品３と下側部品４とを固定することができる。
【００４２】
また、本実施形態では、上側部品３と下側部品４とを所定の距離Ｘずらした状態で、上側部品３を下側部品４に対して矢印Ｇ方向にスライドさせることにより、フック部４ｉをフック係合部３ｇに係合させて上側部品３と下側部品４とが固定するように構成することによって、上側部品３を下側部品４に対して矢印Ｇ方向にスライドさせた時に、スライド方向以外に荷重が加わらないので、上側部品３または下側部品４の一方を撓ませた状態で
、上側部品３および下側部品４を上下方向から固定する場合と異なり、上側部品３または下側部品４が撓むのを抑制することができる。このため、上側部品３または下側部品４が撓むことに起因してインクシートカートリッジ１の内部に収納する供給ボビン６および巻取ボビン７の配置がずれるという不都合が生じないので、上側部品３と下側部品４とを容易に固定することができる。
【００４３】
また、本実施形態では、上側部品３の矢印Ｃ方向の側端面近傍に、供給ボビン収納部３ａと巻取ボビン収納部３ｂとを連結する連結部３ｃを設け、下側部品４の矢印Ｃ方向の側端面近傍に、供給ボビン収納部４ａと巻取ボビン収納部４ｂとを連結する連結部４ｃを設け、上側部品３の連結部３ｃおよび下側部品４の連結部４ｃに、上側部品３と下側部品４とを所定の距離Ｘずらした状態で、上側部品３を下側部品４に対して矢印Ｇ方向にスライドさせることにより、互いに係合する連結部固定用係合部３ｉおよび連結部固定用係合部４ｊを設けることによって、連結部固定用係合部３ｉと連結部固定用係合部４ｊとの係合により、接着剤を用いることなく、上側部品３の連結部３ｃと下側部品４の連結部４ｃとが離間するのを抑制することができる。
【００４４】
また、本実施形態では、上側部品３の矢印Ｃ方向の側端面の両端部近傍に、一対の突出部３ｅを設けるとともに、下側部品４の矢印Ｃ方向の側端面の両端部近傍に、一対の突出部３ｅが挿入される一対の嵌合部４ｇを設け、上側部品３の矢印Ｄ方向の側端面の両端部近傍に、一対の嵌合部３ｆを設けるとともに、下側部品４の矢印Ｄ方向の側端面の両端部近傍に、一対の嵌合部３ｆに挿入する一対の突出部４ｈを設け、上側部品３と下側部品４とを所定の距離Ｘずらした状態で、上側部品３を下側部品４に対して矢印Ｇ方向にスライドさせることにより、一対の嵌合部４ｇに一対の突出部３ｅを挿入させるとともに、一対の嵌合部３ｆに一対の突出部４ｈを挿入させるように構成することによって、上側部品３および下側部品４が組み立てられた状態で、上側部品３と下側部品４との四隅が固定されるので、上側部品３と下側部品４との四隅が離間するのを抑制することができる。
【００４５】
また、本実施形態では、上側部品３の供給ボビン収納部３ａおよび巻取ボビン収納部３ｂの外表面に、上側部品３の供給ボビン収納部３ａおよび巻取ボビン収納部３ｂの延びる方向に対して実質的に平行に延びるように、上側部品３および下側部品４のスライド方向を固定するためのスライド方向固定用フック部３ｊを設け、下側部品４の供給ボビン収納部４ａおよび巻取ボビン収納部４ｂの外表面に、スライド方向固定用フック部３ｊと係合するスライド方向固定用フック係合部４ｋを設けることによって、スライド方向固定用フック部３ｊとスライド方向固定用フック係合部４ｋとが係合することにより、上側部品３または下側部品４のスライド方向の移動が抑制されるので、上側部品３と下側部品４との固定が解除されるのを抑制することができる。
【００４６】
また、本実施形態では、上側部品３の矢印Ｄ方向の側端面近傍に、供給ボビン収納部３ａと巻取ボビン収納部３ｂとを連結する連結部３ｄを設け、下側部品４の矢印Ｄ方向の側端面近傍に、供給ボビン収納部４ａと巻取ボビン収納部４ｂとを連結する連結部４ｄを設け、フック係合部３ｇを、係合孔部３ｈを有する板状部材からなるとともに、上側部品３の突出部３ｅよりも連結部３ｄ側に一対設け、フック部４ｉを、下側部品４の嵌合部４ｇよりも連結部４ｄ側に一対設けることにより、連結部３ｄと連結部４ｄとの近傍で、フック部４ｉとフック係合部３ｇとを容易に係合させることができるので、連結部３ｄと連結部４ｄとが離間するのを抑制することができる。
【００４７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４８】
たとえば、上記実施形態では、インクシートカートリッジの両側端部に、それぞれ、上側部品または下側部品の一方を水平方向にスライドさせることによって係合する一対の突出部と一対の嵌合部とを設けた例を示したが、本発明はこれに限らず、上側部品または下側部品の一方を水平方向にスライドさせることによって係合する突出部と嵌合部とをインクシートカートリッジの一方の側端部のみに設けるようにしてもよい。
【００４９】
また、上記実施形態では、上側部品および下側部品の上下方向を固定するための一対のフック部を下側部品の連結部近傍に設け、一対のフック部と係合する一対のフック係合部を上側部品の連結部近傍に設けた例を示したが、本発明はこれに限らず、一対のフック部を上側部品の連結部近傍に設けるとともに、一対のフック係合部を下側部品の連結部近傍に設けてもよい。また、一対のフック部および一対のフック係合部を連結部の近傍以外の位置に設けてもよい。また、上側部品および下側部品の上下方向を固定するためのフック部およびフック係合部を、それぞれ、１つまたは３つ以上設けてもよい。
【００５０】
また、上記実施形態では、上側部品および下側部品の連結部に、互いに係合するＬ字形状および逆Ｌ字形状の係合部を設けた例を示したが、本発明はこれに限らず、連結部にＬ字形状および逆Ｌ字形状以外の形状を有する係合部を設けてもよい。
【００５１】
また、上記実施形態では、上側部品の両外表面に、スライド方向固定用フック部を設け、下側部品の両側面部にスライド方向固定用フック部と係合するスライド方向固定用フック係合部を設けることによって、上側部品または下側部品の水平方向のスライド移動を抑制するように構成した例を示したが、本発明はこれに限らず、スライド方向固定用フック部およびスライド方向固定用フック係合部を設けない構成にしてもよい。
【図面の簡単な説明】
【００５２】
【図１】本発明の一実施形態によるインクシートカートリッジの分解斜視図である。
【図２】図１に示した本発明の一実施形態によるインクシートカートリッジの全体斜視図である。
【図３】図１に示した本発明の一実施形態によるインクシートカートリッジの上側部品の内面側から見た平面図である。
【図４】図１に示した本発明の一実施形態によるインクシートカートリッジの下側部品の平面図である。
【図５】図２のＡ方向から見た側面図である。
【図６】図２のＢ方向から見た側面図である。
【図７】図６の４００−４００線に沿った断面図である。
【図８】図１に示した本発明の一実施形態によるインクシートカートリッジの側面側の拡大図である。
【図９】図６の５００−５００線に沿った断面図である。
【図１０】図１に示した本発明の一実施形態によるインクシートカートリッジの組立方法を説明するための側面図である。
【図１１】図１０の６００−６００線に沿った断面図である。
【図１２】図１に示した本発明の一実施形態によるインクシートカートリッジの組立方法を説明するための側面図である。
【図１３】図１２の７００−７００線に沿った断面図である。
【図１４】図１に示した本発明の一実施形態によるインクシートカートリッジの組立方法を説明するための側面図である。
【図１５】図１４の８００−８００線に沿った断面図である。
【図１６】従来の熱転写プリンタに用いられるインクシートカートリッジの分解斜視図である。
【図１７】従来の熱転写プリンタに用いられるインクシートカートリッジの全体斜視図である。
【図１８】図１７の２００−２００線に沿った断面図である。
【符号の説明】
【００５３】
１      インクシートカートリッジ
２      ボビン収納ケース
３      上側部品（第１ケース部）
３ｃ    連結部（第１連結部）
３ｄ    連結部（第２連結部）
３ｅ    突出部（第１突出部）
３ｆ    嵌合部（第２嵌合部）
３ｇ    フック係合部（第１フック係合部）
３ｈ    係合孔部
３ｉ    連結部固定用係合部（第１係合部）
３ｊ    スライド方向固定用フック部（第２フック部）
４      下側部品（第２ケース部）
４ｃ    連結部（第３連結部）
４ｄ    連結部（第４連結部）
４ｇ    嵌合部（第１嵌合部）
４ｈ    突出部（第２突出部）
４ｉ    フック部（第１フック部）
４ｊ    連結部固定用係合部（第２係合部）
４ｋ    スライド方向固定用フック係合部（第２フック係合部）
６      供給ボビン
７      巻取ボビン
８      圧縮コイルバネ
【図１】
0004696771.tif 000002
【図２】
0004696771.tif 000003
【図３】
0004696771.tif 000004
【図４】
0004696771.tif 000005
【図５】
0004696771.tif 000006
【図６】
0004696771.tif 000007
【図７】
0004696771.tif 000008
【図８】
0004696771.tif 000009
【図９】
0004696771.tif 000010
【図１０】
0004696771.tif 000011
【図１１】
0004696771.tif 000012
【図１２】
0004696771.tif 000013
【図１３】
0004696771.tif 000014
【図１４】
0004696771.tif 000015
【図１５】
0004696771.tif 000016
【図１６】
0004696771.tif 000017
【図１７】
0004696771.tif 000018
【図１８】
0004696771.tif 000019